(57)【特許請求の範囲】
【請求項１】
標識及び標示板の照明装置であって、
光反射・反射層（１２０４）と、
前記光反射・反射層（１２０４）上に配置された透明導光層（１２０３）と、
前記透明導光層（１２０３）の縁部に設けられた第１縁取（１２５１）と、
前記透明導光層（１２０３）に対して、前記第１縁取（１２５１）と対向して配置された第２縁取（１２５２）とを有し、
透明導光層（１２０３）内には、ＬＥＤ照明光源ＬＥＤ１と照明光源ＬＥＤ２が設けられ、
部品回路電気部ボックス（１２０７）は、警戒標識底板（１２０１）の裏側に実装されており、
前記第１縁取（１２５１）は、湾曲したＣ状に内側に縁取られ、
前記第１縁取（１２５１）の前記透明導光層（１２０３）側の端面に内部プリズムレンズ光反射層（１２８１）があり、
前記第２縁取（１２５２）の前記透明導光層（１２０３）側の端面に、前記透明導光層（１２０３）とは反対側に突状に湾曲した複数の弓形状を有する内部弓形光反射シート層（１２８２）があることを特徴とする標識及び標示板の照明装置。
【請求項２】
前記透明導光層（１２０３）、前記光反射・反射層（１２０４）並びに、前記第１及び第２縁取（１２５１、１２５２）とは、鋳込み溶接されていることを特徴とする請求項１に記載の標識及び標示板の照明装置。
【請求項３】
前記透明導光層（１２０３）内、並びに前記内部プリズムレンズ光反射層（１２８１）及び内部弓形光反射シート層（１２８２）の端面には、９０度で外縁に直交して照明光源が中心点又は中心線に合わせた位置に固定されたＬＥＤ電球（１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４）があり、
前記ＬＥＤ電球（１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４）の導線は、前記警戒標識底板（１２０１）の裏側の前記部品回路電気部ボックス（１２０７）内に接続されていることを特徴とする請求項１に記載の標識及び標示板の照明装置。
【請求項４】
前記ＬＥＤ電球（１００Ａ、１００Ｂ、１００Ｃ、１００Ｄ、１００Ｅ、１００Ｆ、１
００Ｇ、１００Ｈ、１００Ｒ、１００Ｊ、１００Ｋ、１００Ｌ、Ｓ１００１、Ｓ１００２、Ｓ１００３、Ｓ１００４）は、前記透明導光層（１２０３）、前記光反射・反射層（１２０４）、並びに前記第１及び第２縁取（１２５１、１２５２）とに対して鋳込み溶接を行う際に、それらと同時に溶接されるか、又は、既に鋳込み溶接された前記透明導光層（１２０３）、前記光反射・反射層（１２０４）、並びに前記第１及び第２縁取（１２５１、１２５２）の結合体上における所定のＬＥＤ電球位置凹部分内に、別途に鋳込み溶接されることを特徴とする請求項３に記載の標識及び標示板の照明装置。
【請求項５】
前記ＬＥＤ電球は、第１のグループのＬＥＤ電球（１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ）と、第２のグループのＬＥＤ電球（Ｓ１００１、Ｓ１００２、Ｓ１００３、Ｓ１００４）を含み、
前記第１のグループのＬＥＤ電球（１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ）が同時に照明を行うことは、正常照明動作モードであり、
前記第１のグループ及び前記第２のグループのＬＥＤ電球（１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４）が同時に照明を行うことは、強化照明動作モードであることを特徴とする請求項３に記載の標識及び標示板の照明装置。
【請求項６】
バッテリー電源は、商用電源供給、ソーラーパネル供給、風力発電機供給から提供され、回路における各部品間は、導線により接続されており、
ＣＰＵは、標識、標示板又は警戒標識装置上における各動作回路に対してリアルタイムでモニターリングを行い、
ＬＥＤ電球の電力供給方式は、マニュアルスイッチで正常照明動作モード又は強化照明動作モードをオンにする場合の電力供給方式と、光電感度電気抵抗スイッチで正常照明動作モードをオンにする場合の電力供給方式と、雨滴感知回路スイッチで強化照明動作モードをオンにする場合の電力供給方式と、赤外線感知回路スイッチ及び超音波感知回路スイッチで強化照明動作モードをオンにする場合の電力供給方式と、モジュール遠隔制御スイッチで正常照明動作モード又は強化照明動作モードをオンにして突発状態時の緊急警戒を強化する場合の電力供給方式とを含むことを特徴とする請求項５に記載の標識及び標示板の照明装置。
【請求項７】
前記透明導光層（１２０３）、前記光反射・反射層（１２０４）、並びに前記第１及び第２縁取（１２５１、１２５２）に対して鋳込み溶接を行うと同時に、警戒標識底板（１２０１）もまとめて内側向けのＣ状枠内に包み込まれることを特徴とする請求項１に記載の標識及び標示板の照明装置。
【請求項８】
前記光反射・反射層（１２０４）の適用状態は、
光反射・反射層底面（３０４）、該光反射・反射層底面（３０４）上に接着された製品光反射層（３０６）、及び光反射・反射層の上端にある透明層（３０７）の組み合わせと、
光反射・反射層底面（４０４）及び該光反射・反射層底面（４０４）上に接着された半製品光反射層微小球（４０６）の組み合わせと、
透明導光層（５０３）に接着面（５０６）を介して接着される光反射・反射印刷層底面（５０４）と、
透明導光層（６０３）に鋳込み溶接される光反射・反射印刷層底面（６０４）と、
光反射・反射層底面（７０４）と、光反射・反射層内光反射プリズムレンズ（７０７）及び光反射・反射層の上端にある透明層（７０６）の組み合わせと、
光反射・反射層底面（８０４）及び光反射・反射層に設けられる光反射プリズムレンズ（８０６）の組み合わせと、
光反射・反射層底面（９０４）、上端の光反射プリズムレンズ（９０７）、該光反射・反射層底面（９０４）と該光反射プリズムレンズ（９０７）との間に設けられる中空層（９０８）、及び光反射・反射層の上端にある透明層（９０６）からなるアセンブリと、のうちいずれか１つを有することを特徴とする請求項１に記載の標識及び標示板の照明装置。
【請求項９】
前記第１及び第２縁取（１２５１、１２５２）全体の製品外形は、規則的な幾何学図形及び不規則的な幾何学図形を含み、金属材料またはプラスチック材料からなることを特徴とする請求項１に記載の標識及び標示板の照明装置。
【請求項１０】
前記内部プリズムレンズ光反射層（１２８１）は、前記第１縁取（１２５１）の内側端面に粘着されて一体化されており、
前記内部弓形光反射シート層（１２８２）は、前記第２縁取（１２５２）の内側端面に粘着されて一体化されていることを特徴とする請求項１に記載の標識及び標示板の照明装置。
【請求項１１】
前記内部プリズムレンズ光反射層（１２８１）及び前記内部弓形光反射シート層（１２８２）の表面には、めっき、コーティング、及び電気泳動のうち少なくとも１つの処理が行われていることを特徴とする請求項１に記載の標識及び標示板の照明装置。
【請求項１２】
前記第２のグループのＬＥＤ電球（Ｓ１００１、Ｓ１００２、Ｓ１００３、Ｓ１００４）は、ＣＰＵが正常照明動作モードのＬＥＤ電球の故障を検出した際の、正常照明動作モードのＬＥＤ照明電球の予備補充電球であることを特徴とする請求項６に記載の標識及び標示板の照明装置。
【発明の詳細な説明】
【技術分野】
【０００１】
本発明は、標識及び標示板の照明装置に関し、特にポータブル標識、警戒標識、自動車・非自動車警戒標識、交通標識板、広告板及びそれと類似した反射光・反射タイプの標識及び標示板の照明装置に関する。
【背景技術】
【０００２】
改革開放以来、数十年の都市化プロセスとともに、車両数の増加によって、道路は顕著に拡幅されており、車両種類の増加によって、現在では交通標識板として用いられる反射式標識及び標示板は、道路の上方のかなり高い位置に設置されており、広い観察角度を有しないことが一般的である。一般的に、自動車は、都市街路を走行するときには、その前照灯のランプ光が下向き、すなわち、ロービームとなっており、特に多くの車線があって交通量が多い領域においては、前照灯から反射式標識及び標示板へ発する光の量がかなり少ない。このため、運転手は標識及び標示板を識別して読むときに、その内容を明確に理解することができない。一般的に、市街地には、街灯、建物照明、信号機近傍の交通標識及びネオン灯が多く存在しており、それらによって、特に雨の日やスモッグの日には、運転手の標識、標示板に対する視認性及び判読性がひどく妨害される。運転手の標識及び標示板に対する識別性及び判読性を向上させるためには、標識、標示板にはリング照明光源や広入射角照明光源を設置する必要がある。
【０００３】
標示板が独立照明光源により照明される従来例としては、例えばライト（通常は蛍光灯）が標示板の上端において、近距離で角度を置いて標示板を照らすような構成、または、照明光源が下方から近距離で角度を置いて道路標識を照らするような構成であって、独立照明光源が道路標識を固定する支柱の延長部に実装されていることを特徴とするものがある。道路標識を照らすためのこれら照明光源や照明方法のすべてはＪＩＳと日本道路標識設置基準条例に基づいているものである。特許文献１には、道路標識用照明システムの例が開示されており、照明光源が道路標識を照らす点については改善されているが、その特徴は、依然として、独立照明光源が照らすことにある。独立照明光源により照らされる道路標識は、光反射特性により、運転手が遠く離れている場所から見ると広い視角範囲内で目立つように見えるが、運転手が道路標識に近い場所では、走行車両前照灯光源の光源入射角と独立照明光源の入射角とが衝突して、はっきりと識別できない。
【０００４】
下述の開示技術では、光反射の特性、プロセス及び材質の製造についての内容しか開示されていない。例えば、特許文献２は、改善された車道標示板に関し、遠く離れている場所から見ると目立つように見えかつ短い距離で見るとはっきりと識別できるように、標示板表面の標識及びバックグラウンド部分の光反射特性をそれぞれ選択することを開示している。また、特許文献３では、光反射物として微小球を選択することで、狭い観察角での光反射光度を向上させることを開示している。さらに、特許文献４では、狭い観察角及び広い観察角で良い光反射特性を提供する二種類の微小球を含む光反射板を開示している。
【先行技術文献】
【特許文献】
【０００５】
【特許文献１】米国特許第９５１９４５０７．６号明細書
【特許文献２】米国特許第４７２６１３４号明細書
【特許文献３】米国特許第４９５７３３５号明細書
【特許文献４】日本特願平６−９４２６／９４号公報
【発明の概要】
【発明が解決しようとする課題】
【０００６】
２０世紀の九十年代における主な技術を代表する光学体は、透明な微小球（玉）及びその光反射製品であり、実際に用いられる場合には、遠距離、広視角、光源が弱い環境においては、警戒の役割を果たしにくくなる。
【０００７】
最近の主な技術を代表する自動車警戒標識（車両が前後方向に発した警戒）は、多車線で交通量が多い混雑した環境においては、全方位の警戒の役割を果たしにくくなる。
人間本位の社会的調和原則によって、照明光源が付いている自動車がより多くの安全と警戒を得るようにすることを考慮する際、それよりも先に考慮すべきは、照明光源なしの非自動車と歩行者に周到な標識、標示板タイプの交通指示と車両警戒を与えることであり、標識、標示板タイプの交通指示と車両警戒装置などには、遠く離れている場所から見ると広視角範囲内で目立つように見えかつ短い距離で見てもはっきりと識別できるより良い照明システムが必要とされる。
【課題を解決するための手段】
【０００８】
本発明は、標識及び標示板を照明する装置を提供する。本発明は、特にポータブル標識、警戒標識、自動車・非自動車警戒標識、交通標識板、広告板、並びに、それと類似した標識及び標示板に適用される。
【０００９】
本発明における標識、標示板及び警戒標識を照明する装置は、光反射・反射標示板の表面透明層を有する標識、標示板と、リング透明層のＬＥＤ照明光源とを備え、標識、標示板、警戒標識のリング透明層内にＬＥＤ照明光源を搭載することで、光源から発した光は約１度から約１７９度の範囲内の入射角で標識、標示板の表面透明層に入射する。標識、標示板、警戒標識の表面は、２〜１０ミリメートルの厚さの透明層であり、透明層の下端は、光反射・反射層部分であり、該部分は、ＬＥＤ照明光源の広い有効入射角及び広い光反射・反射有効観察角を有する。
【００１０】
標識、標示板、警戒標識の表面透明層と下端の反射部分及び警戒標識底板の外側面に縁取があり、該縁取の内側には光反射材又は光反射コーディング層があり、上記縁取はＣ状に内側に縁取られ、上記縁取の内側には、幾何学的プリズム面層又は弓形光反射シート層が存在する。リング透明層のＬＥＤ照明光源は、約１度から約１７９度の範囲内の入射角で標識、標示板、警戒標識の表面透明層に入射し、ＬＥＤ照明光源は、透明層の下端にある光反射・反射層部分と、縁取内側における光反射材、光反射コーディング層または幾何学的プリズム面層、弓形光反射シート層とにより、総合的な光反射が行われ、標識、標示板、警戒標識のリング透明層内のＬＥＤ照明総合光源は、標識、標示板、警戒標識の表面透明層の下端にある光反射・反射層部分に対して、約１度から約１７９度の範囲内の入射角で重畳入射を行い、光反射・反射層部分により重畳入射角で密集して反射され、これにより、広い有効反射角と観察角となり、遠く離れている場所から見ると大きい視角範囲内で目立つように見えることとなる。
【００１１】
ＬＥＤ照明光源は透明層内を通過して、下端にある光反射・反射層部分及び縁取内側における光反射材、光反射コーディング層又は幾何学的プリズム面層、弓形反射シート層により、総合的な光反射が行われ、こうした総合的な光反射が行われたＬＥＤ照明光源の入射角は、自動車走行時の前照灯のランプ光の強いハイビームやロービームの入射角と衝突しないため、運転手を含む自動車内の全員が、標識、標示板、警戒標識を遠く離れている場所から見ると、大きい視角範囲内で上記標識等を識別することができ、標識、標示板、警戒標識を近い距離で見ると上記標識等を明確に読めるようになる。また、ＬＥＤ照明光源は、透明層内を通過して、下端にある光反射・反射層部分と縁取内側における光反射材、光反射コーディング層又は幾何学的プリズム面層、弓形反射シート層により、総合的な光反射が行われ、約１度から約１７９度の範囲内の入射角で重畳入射が行われる。これにより、広い有効的な密集反射角と観察角が形成され、照明なしの非自動車と歩行者に対して視認性を重視した安全的な標識、標示板タイプの交通指示及び警戒標識が提供される。
【００１２】
リング透明層内のＬＥＤ照明電球は、ＣＰＵモジュールによりモニタされ、そのうち一つのＬＥＤ照明電球が故障を発する場合、ＣＰＵモニタリングモジュールはすぐに予備のＬＥＤ照明電球に対して発光駆動を行い、ＣＰＵモジュールは、装置システム回路全体を監視し、スイッチ、光電感度スイッチ、雨感知スイッチ、赤外線感知スイッチ、超音波感知スイッチ、電源モジュール、バッテリー、及び通信伝送モジュールなどの電子部品を含み、標識、標示板又は警戒標識のランプ光に対する知能制御を達成し、ＣＰＵモジュールのモニタリングデータをリアタイムで伝送する。
【００１３】
本発明の標識、標示板、警戒標識を照明する装置は、各面積規模の外形に適し、商用電源及びソーラーエネルギー、風力エネルギーから発生した電気エネルギーを柔軟に活用し、標識、標示板、警戒標識とセットとして、世界各地において広く分布して適用することができる。
【図面の簡単な説明】
【００１４】
図面に基づいて本発明をより詳細に説明する。
【図１】車両が道路を走行するときに、遠く離れている場所にある本発明の典型的な警戒標識が、広視角範囲内で目立つように見える場合を示す図である。
【図２】混雑した交通かつ逆光の環境において、遠く離れている場所にある本発明の典型的な警戒標識が、広視角範囲内で目立つように見える場合を示す図である。
【図３】透明導光層と、製品光反射層微小球である光反射・反射層部分と、警戒標識底板との溶接図である。
【図４】透明導光層と、半製品光反射層微小球である光反射・反射層部分と、警戒標識底板との溶接図である。
【図５】透明導光層と、製品光反射印刷層である光反射・反射層部分と、警戒標識底板との接着図である。
【図６】透明導光層と、製品光反射印刷層である光反射・反射層部分と、警戒標識底板との溶接図である。
【図７】透明導光層と、製品光反射プリズムレンズである光反射・反射層部分と、警戒標識底板との溶接図である。
【図８】透明導光層と、半製品光反射プリズムレンズである光反射・反射層部分と、警戒標識底板との溶接図である。
【図９】透明導光層と、中空光反射プリズムレンズである光反射・反射層部分と、警戒標識底板との溶接図である。
【図１０】本発明の典型的な製品断面図である。
【図１１】本発明の別の典型的な製品断面図である。
【図１２】本発明の典型的な製品動作構成実施例を示す図である。
【図１３】本発明の典型的な製品の回路動作原理図である。
【００１５】
以上で例示した理想的且つ非比例的な図は、例示的なものに過ぎず、制限的ではない。
【発明を実施するための形態】
【００１６】
リング透明層内のＬＥＤ照明光源からの光が光反射・反射層部分により反射されて運転手、歩行者に視認されるようにして、標識、標示板、警戒標識を視認及び判読し易くするために、標識、標示板、警戒標識は適当な観察角で光を反射する必要があり、該観察角は、車の前照灯からの光がリング透明層内のＬＥＤ照明光源より強い場合の反射において、車の運転手に容易に見られる光反射材物体で反射された光が光線の起点に向かって後方へ広がる光錐観察角が適用され、一方、該観察角以外の約１度から約１７９度の範囲内に位
置する運転手、歩行者は、リング透明層内のＬＥＤ照明光源が約１度から約１７９度の範囲内の入射角で重畳入射を行って、広い有効的な密集反射角と観察角とを形成するため、遠く離れている場所から見ると広視角範囲内で目立つように見える。
【００１７】
図１と図２は車両が道路を走行して混雑した交通及び逆光の環境の場合を示している。通常、警戒標識１０１、２１１、２１２は、一般的に警戒標識固定支柱１０２や交通信号固定支柱２０２に実装されている。また、車両種類の増加により、現在では交通標識板として用いられる反射標識、標示板は、道路上方のかなり高い位置に実装されるようになり、現在の交通標識板として用いられる反射標識、標示板は、交通信号固定支柱２０２を使用するので、交通信号灯２３１、２３２、２３３が明滅動作するときには、交通標示板の光反射に対する観察に直接に影響を与え、また、都市交通道路が顕著に拡幅されることにより、警戒標識固定支柱１０２や交通信号固定支柱２０２は、車両運転手の正方向視角から離れるため、運転手は交通標示板などを主観的に確認できなくなる。車線Ｅ１、Ｅ２、Ｅ３、Ｅ４、Ｅ５を走行する車両は、運転手の観察角に影響を与え、特に車線Ｅ１とＦ１は、ランプ光が対向するので、車両運転手の交通標示板に対する視認と判読に対してひどく影響される。一般的に、自動車は都市街路を走行するときには、その前照灯のランプ光が下向き、すなわち、ロービームとなり、特に多くの車線があり交通量が多い領域において、例えばＡ区間においては、前照灯から発した反射標識及び標示板への光の光量がかなり少なく、車両照明光源から発した光の僅かな部分が標示板から運転手に反射するので、通常の交通標識板などの表面は、広い有効観察角を有しない。また、Ｂ区間においては、前照灯から発した反射標識、標示板への光の角度が小さく、車両照明光源から発した光の僅かな部分が標示板から運転手に反射するので、通常の交通標識板などの表面は、広い有効観察角を有しない。
【００１８】
本発明の１つの利点は、標識、標示板、警戒標識を識別、視認及び判読し易くし、従来の反射タイプの標識、標示板の反射成立条件を変更し、標識、標示板、警戒標識のリング透明層内のＬＥＤ照明光源を用いて、標識、標示板及び警戒標識の透明層下端の光反射・反射層部分に対して約１度から約１７９度の範囲内の有効入射角で重畳入射を行う。これにより、広い有効反射角と観察角が形成され、運転手や歩行者が遠く離れている場所から見ると、大きい視角範囲内で目立つ容易に見え、識別しやすくなる。
【００１９】
したがって、走行車両１Ａ、１Ｂの運転手と歩行者は、混雑した交通及び逆光の環境において道路のＡ区間、道路のＢ区間、車線Ｅ１、Ｅ２、Ｅ３、Ｅ４、Ｅ５、Ｆ５のいずれに位置しても、遠く離れている場所から大きい視角範囲内で警戒標識１０１、２１１、２１２を視認、識別及び判読できるようになる。
【００２０】
図３と図４において、透明導光層３０３、４０３と光反射・反射層部分の製品光反射層３０６及び半製品光反射層微小球４０６とは鋳込み溶接により接着され、そして、製品光反射層３０６及び半製品光反射層微小球４０６の光反射・反射層底面３０４、４０４は、底板と光反射・反射層接着面３０５、４０５を介して粘着により警戒標識底板３０１、４０１と接着される。
【００２１】
透明導光層３０３に対する鋳込みが行われる際に、直接に光反射・反射層導光溶接面３０８に対して鋳込み溶接が行われ、製品光反射層３０６の上端の透明層３０７と透明層３０３との溶接は入射光の妨害、屈折を引き起こさない。
【００２２】
透明導光層３０３、４０３の周辺には、内側へ中心点（線）のＬＥＤランプ光光源及びＬＥＤランプ光光反射・反射光源３２１、３２２と４２１、４２２に指向する光線があり、光反射・反射層部分の製品光反射層３０６、半製品光反射層微小球４０６には、横方向の３６０度の範囲かつ縦方向の約１度から約１７９度の範囲内でＬＥＤランプ光光源及びＬＥＤランプ光光反射・反射光源３２１、３２２と４２１、４２２の周辺ランプ光が内側へ有効入射角で重畳入射を行い、製品光反射層３０６及び半製品光反射層微小球４０６は広い有効反射角と観察角を形成する。
【００２３】
図３と図４に明らかに示すように、製品光反射層３０６及び半製品光反射層微小球４０６は、横方向の３６０度の範囲かつ縦方向の約１度から約１７９度の範囲内において、ＬＥＤランプ光の有効入射角の重畳入射光を受け、これは外部照明光源時間帯内の持続光照射と強さが異なり、また、物体で反射された光が光線の起点に向かって後方へ広がる光錐観察角が異なる。製品光反射層３０６、半製品光反射層微小球４０６上におけるＬＥＤランプ光光源及びＬＥＤランプ光光反射・反射光源の有効入射角の重畳入射光は、外部照明入射光源との間に排他損失がない。
【００２４】
図５と図６において、透明導光層５０３が接着面５０６を介して粘着により光反射・反射印刷層底面５０４と接着され、透明導光層６０３が鋳込み溶接により光反射・反射印刷層底面６０４と接着され、光反射・反射印刷層底面５０４、６０４が底板及び光反射・反射印刷層接着面５０５、６０５を介して粘着により警戒標識底板５０１、６０１と接着される。
【００２５】
透明導光層６０３に対する鋳込みが行われる際に、直接に光反射・反射印刷層底面６０４に対して鋳込み溶接が行われる。光反射・反射印刷層底面６０４と透明導光層６０３との鋳込み溶接は、入射光の妨害、屈折を引き起こさず、接着面５０６を介しての透明導光層５０３と光反射・反射印刷層底面５０４との粘着は、入射光の妨害、屈折を引き起こさない。
【００２６】
透明導光層５０３、６０３の周辺には、内側へ中心点（線）のＬＥＤランプ光光源及びＬＥＤランプ光光反射・反射光源５２１、５２２と６２１、６２２に指向する光線があり、光反射・反射印刷層底面５０４、６０４には、横方向の３６０度の範囲かつ縦方向の約１度から約１７９度の範囲内でＬＥＤランプ光光源及びＬＥＤランプ光光反射・反射光源５２１、５２２と６２１、６２２の周辺ランプ光が内側へ有効入射角で重畳入射を行い、光反射・反射印刷層底面５０４、６０４は広い有効反射角と観察角を形成する。
【００２７】
図５と図６に明らかに示すように、光反射・反射印刷層底面５０４、６０４は、横方向の３６０度の範囲かつ縦方向の約１度から約１７９度の範囲内においてＬＥＤランプ光の有効入射角の重畳入射光を受け、これは外部照明光源時間帯内の持続光照射と強さが異なり、物体で反射された光が光線の起点に向かって後方へ広がる光錐観察角が異なる。光反射・反射印刷層底面５０４、６０４上におけるＬＥＤランプ光光源及びＬＥＤランプ光光反射・反射光源の有効入射角の重畳入射光は、外部照明入射光源との間に排他損失がない。
【００２８】
図７、図８及び図９において、透明導光層７０３、８０３、９０３が鋳込み溶接により光反射・反射層の上端の透明層７０６、９０６、光反射プリズムレンズ８０６と接着され、光反射・反射層底面７０４、８０４、９０４が底板及び光反射・反射層接着面７０５、８０５、９０５を介して粘着により警戒標識底板７０１、８０１、９０１と接着される。透明導光層７０３、９０３と光反射・反射層の上端の透明層７０６、９０６とが鋳込み溶接された後、入射光の妨害、屈折を引き起こさない。
【００２９】
透明導光層７０３、８０３、９０３の周辺には、内側へ中心点（線）のＬＥＤランプ光光源及びＬＥＤランプ光光反射・反射光源７２１、７２２と８２１、８２２と９２１、９２２に指向する光線があり、光反射・反射層光反射プリズムレンズ７０７、９０７及び光反射プリズムレンズ８０６は、横方向の３６０度の範囲かつ縦方向の約１度から約１７９度の範囲内でＬＥＤランプ光光源及びＬＥＤランプ光光反射・反射光源７２１、７２２と８２１、８２２と９２１、９２２の周辺ランプ光が内側へ有効入射角で重畳入射を行い、光反射・反射層内の光反射プリズムレンズ７０７、９０７及び光反射プリズムレンズ８０６は広い有効反射角と観察角とを形成する。
【００３０】
図７、図８及び図９に明らかに示すように、光反射・反射層内の光反射プリズムレンズ７０７、９０７及び光反射プリズムレンズ８０６は、横方向の３６０度の範囲かつ縦方向の約１度から約１７９度の範囲内でＬＥＤランプ光の有効入射角の重畳入射光を受ける。これは外部照明光源時間帯内の持続光照射と強さが異なり、物体で反射された光が後方へ指向する光線に広がる起点の光錐観察角が異なる。光反射・反射層光反射プリズムレンズ７０７、９０７及び光反射プリズムレンズ８０６上におけるＬＥＤランプ光光源及びＬＥＤランプ光光反射・反射光源の有効入射角の重畳入射光は、外部照明入射光源との間に排他損失がない。
【００３１】
図８において、光反射プリズムレンズ８０６の幾何学状の光反射プリズムレンズ表面にめっきなどの加工が行われてよく、光反射プリズムレンズ８０６の重畳入射光に対する広い反射角の有効反射を増やすことができる。
【００３２】
図９において、光反射・反射層底面９０４と上端の光反射プリズムレンズ９０７の間に中空層９０８が設けられ、光反射・反射層底面９０４は非透明光増加材料から製造されてよい。また、光反射・反射層底面９０４と上端の光反射プリズムレンズ９０７と中空層９０８と光反射・反射層の上端の透明層９０６とは一体化される。
【００３３】
図１０と図１１とは、本発明の典型的な製品断面図を示しており、縁取層断面１１０１、１１０２から観察するように、縁取１１０５内に透明導光層１１０３及びＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４があり、透明導光層断面１１３１の下に光反射・反射層１１０４がある。
【００３４】
ＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４は、縁取１１０５内においてＬＥＤランプ光光線が円周縁から内側の中心点に入射する。第１のグループのＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌは、円周縁において３０度の間隔をもって配置されおり、第２のグループのＬＥＤ電球Ｓ１００１、Ｓ１００２、Ｓ１００３、Ｓ１００４は、円周縁において９０度の間隔をもって配置されている。
【００３５】
ＬＥＤ電球を、円周縁において５度の間隔又は５度の倍数の間隔をもって配置して、増加させてもよい。一実施例では、ＬＥＤ電球を、円周縁において１度の間隔又は１度の倍数の間隔をもって配置して、増加させてもよい。
【００３６】
必要に応じて、ＬＥＤ電球を、透明導光層１１０３内の周辺外縁以外の他の領域において配置して、増加させてもよい。
【００３７】
透明導光層断面１１３１の厚さは、２〜１０ミリメートルであり、ＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４の円周縁から内側の中心点に入射する光線は、透明導光層断面１１３１からの厚さ２〜１０ミリメートルを透過する。光反射・反射層１１０４の表面に清潔透明な透明導光層１１０３があるので、ＬＥＤ有効入射ランプ光の光線が透明導光層１１０３内において妨害や屈折されないということは確保される。
【００３８】
光光反射・反射層１１０４は、横方向の３６０度の範囲かつ縦方向の約１度から約１７９度の範囲内で、ＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４のランプ光の有効入射角での重畳入射を受け、広い有効反射角と観察角を形成する。
【００３９】
縁取１１０５は、金属材料又はプラスチック材料などから形成することができる。
【００４０】
図１３は本発明の典型的な製品の回路動作原理図を示しており、標識、標示板、警戒標識装置上には電子部品があり、各部品間が導線で接続されている。電源１３１０は、スイッチ１３１１〜１３１５を通じて標識、標示板、警戒標識装置上のＬＥＤ電球に電力を提供し、対応する照明モードをオンにする。ＣＰＵ１３３０は、標識、標示板、警戒標識装置上の各動作回路に対してリアタイムのモニタリングを行い、また、無線双方向通信モジュール１３４０を通じて管理制御室１３５０とのデータの交換を行う。管理制御室１３５０は、ノード遠隔データ伝送や、インタネットや、ＧＳＭ（登録商標）などを通じて相互接続を実現する。
【００４１】
回路において、バッテリー電源１３１０は、商用電源の接続供給１３０２、ソーラーパネルの接続供給１３０４、風力発電機の接続供給１３０６から提供される。
【００４２】
回路において、スイッチ１３１１〜１３１５から標識、標示板、警戒標識装置上のＬＥＤ電球への電力供給方式は、マニュアル（テスト）スイッチ１３１５で正常動作モード及び強化動作モードをオンにする場合の電力供給方式と、光電感度電気抵抗スイッチ１３１４で正常動作モードをオンにする場合の電力供給方式と、雨滴感知回路スイッチ１３１３で強化動作モードをオンにする場合の電力供給方式と、赤外線感知回路スイッチ及び超音波感知回路スイッチ１３１１で強化動作モードをオンにする場合の電力供給方式と、２．４Ｇ、３１５ＭＨｚ及び４３０〜４９０ＭＨｚモジュール遠隔制御スイッチ１３１２で正常動作モード及び強化動作モードをオンにする場合の電力供給方式（スモークなどを含めた突発状態時の緊急警戒を強化する）とを含む。
【００４３】
標識、標示板、警戒標識装置上におけるＬＥＤ電球の正常動作モードでは、第１のグループのＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌが発光することにする。
【００４４】
標識、標示板、警戒標識装置上におけるＬＥＤ電球強化動作モードでは、第１のグループ及び第２のグループＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４が発光することにする。
【００４５】
第２のグループＬＥＤ電球Ｓ１００１、Ｓ１００２、Ｓ１００３、Ｓ１００４は、ＣＰＵがＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌの故障を検出した際の、正常動作モードのＬＥＤ照明電球の補充となる。
【００４６】
標識、標示板、警戒標識装置上におけるＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４が発光する動作回路は並列モードで接続されている。
【００４７】
ＣＰＵ１３３０は、標識、標示板、警戒標識装置上の各動作回路に対してリアタイムのモニタリングを行い、また、２．４Ｇ、４３０〜４９０ＭＨｚの無線双方向通信モジュール１３４０を通じて管理制御室１３５０とのデータの交換を行う。管理制御室１３５０は、ノード遠隔データ伝送や、インタネットや、ＧＳＭ（登録商標）などを通じて相互接続を実現することで、遠隔知能制御及び設備保守の予知性を達成することができる。
【００４８】
図１２は本発明の典型的な製品動作構成実施例を示しており、透明導光層１２０３と光反射・反射層１２０４及び縁取１２５１、１２５２とは、鋳込み溶接により接着され、光反射・反射層１２０４と警戒標識底板１２０１とは粘着により接着され、警戒標識底板１２０１の裏側には固定留め具１２６１、１２６２が接続されており、部品回路電気ボックス１２０７は警戒標識底板１２０１の裏側に設置されており、透明導光層１２０３内にはＬＥＤ照明光源ＬＥＤ１とＬＥＤ照明光源ＬＥＤ２がある。
【００４９】
縁取は、内側にＣ状に縁取り、透明導光層１２０３と光反射・反射層１２０４及び縁取１２５１、１２５２が鋳込み溶接される際に、警戒標識底板１２０１も内側に縁取られる。透明導光層１２０３の材質は、アクリルや、シリカゲルや、エポキシ樹脂などの全透明で無色の原材料を含む。
【００５０】
縁取は、内側にＣ状に縁取り、縁取１２５１の内側端面に光反射コーディング層又は凹面プリズムレンズ光反射層１２８１があり、縁取１２５２の内側端面に光反射コーディング層又は内部弓形光反射シート層１２８２があり、内部プリズムレンズ光反射層１２８１と内部弓形光反射シート層１２８２とは独立的な構成でもよく、内部プリズムレンズ光反射層１２８１と内部弓形光反射シート層１２８２とは、縁取１２５１、１２５２の内側端面に粘着されて一体化され、内部プリズムレンズ光反射層１２８１と内部弓形光反射シート層１２８２との表面に対して、めっきやコーティングや電気泳動などの処理が行われている。
【００５１】
透明導光層１２０３内及び内部プリズムレンズ光反射層１２８１、内部弓形光反射シート層１２８２の端面には、９０度で外縁に直交して中心点（線）に合わせた位置に固定されたＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４があり、ＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４の導線は、警戒標識底板１２０１の裏側の部品回路電気部ボックス１２０７内に接続されている。
【００５２】
ＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４は、透明導光層１２０３と光反射・反射層１２０４及び縁取１２５１、１２５２とに対して鋳込み溶接を行う際に、それらと同時に溶接されてよく、また、既に鋳込み溶接された透明導光層１２０３と光反射・反射層１２０４及び縁取１２５１、１２５２の結合体おける所定のＬＥＤ電球位置凹部分内に別途に鋳込み溶接を行ってもよい。
【００５３】
ＬＥＤ電球１００Ａ、１００Ｂ、１００Ｃ、１００Ｄ、１００Ｅ、１００Ｆ、１００Ｇ、１００Ｈ、１００Ｒ、１００Ｊ、１００Ｋ、１００Ｌ、Ｓ１００１、Ｓ１００２、Ｓ１００３、Ｓ１００４は、光を発して、透明導光層１２０３内において横方向の３６０度の範囲内のＬＥＤ照明光源ＬＥＤ１及びＬＥＤ照明光源ＬＥＤ２を形成し、ＬＥＤ照明光源ＬＥＤ１のビーム又はＬＥＤ照明光源ＬＥＤ２のビームを用いて照明動作する場合には、以下のようになる。
【００５４】
（一）ＬＥＤ照明光源ＬＥＤ１のビームを用いて照明動作する場合には、光反射・反射層１２０４の光反射層微小球は、ＬＥＤランプ光の有効入射角光源を受けて、物体で反射された光が光線の起点に向かって後方へ広がる光錐を形成し、複数のビームが広い角度で内部弓形光反射シート層１２８２に逆反射し、内部プリズムレンズ光反射層１２８１は、ＬＥＤ照明光源ＬＥＤ１を受け、異なる角度の内部プリズムレンズにより反射されることで、重畳入射のＬＥＤランプ光光反射・反射光源１２２１を形成し、光反射・反射層１２０４の光反射層微小球は、ＬＥＤ灯光の光反射・反射光源１２２１からの複数のビームの有効重畳入射を受けて、物体で反射された光が光線の起点に向かって後方へ広がる光錐を形成し、より多くのビームが広い角度で内部プリズムレンズ光反射層１２８１に逆反射する。
【００５５】
（二）ＬＥＤ照明光源ＬＥＤ２を用いて照明動作する場合には、光反射・反射層１２０４の光反射層微小球は、ＬＥＤランプ光の有効入射角光源を受けて、物体で反射された光が光線の起点に向かって後方へ広がる光錐を形成し、複数のビームが広い角度で内部プリズムレンズ光反射層１２８１に逆反射し、内部弓形光反射シート層１２８２は、ＬＥＤ照明光源ＬＥＤ２を受け、異なる角度の内部弓形光反射シートにより反射されることで、重畳入射のＬＥＤランプ光光反射・反射光源１２２２を形成し、光反射・反射層１２０４の光反射層微小球は、ＬＥＤランプ光の光反射・反射光源１２２２の複数のビームの有効重畳入射を受け、物体で反射された光が光線の起点に向かって後方へ広がる光錐を形成し、より多くのビームが広い角度で内部弓形光反射層１２８２に逆反射する。
【００５６】
上述した２つの例から、本発明の典型的な製品動作構造では、ＬＥＤ照明光源ＬＥＤ１やＬＥＤ照明光源ＬＥＤ２のビームを用いて照明動作する場合には、より多くのＬＥＤ照明光源ＬＥＤ１のビームやより多くのＬＥＤ照明光源ＬＥＤ２のビームを、光反射・反射層１２０４に入射させることができ、光反射・反射層１２０４は、横方向で３６０度の範囲かつ縦方向で約１度から１７９度の範囲において、数え切れないＬＥＤランプ光のビームの有効入射角での重畳入射を受けることができ、広い有効反射角と観察角を形成することができるということは明らかである。
【００５７】
縁取１２５１、１２５２全体の製品外形は、規則的な幾何学図形及び不規則的な幾何学図形とすることができる。
【００５８】
本明細書では、本発明についてその特定の実施例を参照して説明を行った。しかし、本発明の趣旨および範囲を逸脱することなく様々な修正と変換を行うことができることは言うまでもない。従って、本明細書と添付の図面は、例示を目的とする非制限的なものであると理解されるべきである。
【図１】
0006743817.tif 000002
【図２】
0006743817.tif 000003
【図３】
0006743817.tif 000004
【図４】
0006743817.tif 000005
【図５】
0006743817.tif 000006
【図６】
0006743817.tif 000007
【図７】
0006743817.tif 000008
【図８】
0006743817.tif 000009
【図９】
0006743817.tif 000010
【図１０】
0006743817.tif 000011
【図１１】
0006743817.tif 000012
【図１２】
0006743817.tif 000013
【図１３】
0006743817.tif 000014